(57)【特許請求の範囲】
【請求項１】
構造躯体側の要素である上階床の受梁に対して階段の上がり框がずれて配置される場合に適用される階段構造であって、
前記階段は、一般住宅等の建築物の屋内に設置される屋内階段であると共に、当該階段の下方には階段下通路が設けられており、
当該階段の桁材の上り方向側の端部を上がり框の配設位置を越えて上階床の受梁の配設位置まで延長し、
当該桁材の延長部にて、当該上がり框と当該受梁との間に配置されかつ前記上階床とは別体で構成された床板を支持した、
ことを特徴とする階段構造。
【発明の詳細な説明】
【０００１】
【発明の属する技術分野】
本発明は、上階床の受梁に対して階段の上がり框がずれて配置される場合に適用される階段構造に関する。
【０００２】
【従来の技術及び発明が解決しようとする課題】
一般住宅等の建築物に階段を設置する場合、設計上、階段の上がり框の位置が、構造躯体の一部でもある上階床の受梁の配設位置からずれた（離れた）位置にくることがある。このような場合、従来では、以下に説明するような主として三種類の対応策のいずれかが採られていたが、後述するようにそれぞれに難点があった。
【０００３】
図３には、第１の対応策が示されている。この階段構造による場合、Ｌ型階段１００の上がり框１０２の配設位置が上階床の本来の受梁の配設位置（二点鎖線図示位置）に対して離間した位置にある。このため、この階段構造では、平面視で鉤型の受梁１０４を使うことで、上がり框１０２の配設位置を受梁１０４の配設位置に合致させている。換言すれば、鉤型の受梁１０４を使うことで、本来の受梁の配設位置を変更する構成といえる。
【０００４】
しかしながら、上記対応策をプレハブ住宅等に適用した場合、異形の受梁１０４を使う必要があるため、その部分が設計モジュールからはみ出してしまう。このため、構造躯体の共通化が図りにくくなり、プレハブ住宅等の生産性が低下するという難点がある。
【０００５】
図４には、第２の対応策が示されている。この階段構造による場合、Ｌ型階段１０６の上がり框１０８の配設位置が上階床の本来の受梁１１０の配設位置に対して離間した位置にある点は、前記階段構造と同様である。このため、この階段構造では、本来の受梁１１０に対して平行な追加受梁１１２を上がり框１０８の配設位置に新たに設置することで、上がり框１０８の配設位置を追加受梁１１２の配設位置に合致させている。換言すれば、本来の受梁１１０の配設位置を変更しない代わりに、追加受梁１１２を新設する構成といえる。
【０００６】
なお、前記の如く、追加受梁１１２を新たに設置したことにより、本来の受梁１１０と追加受梁１１２との間に隙間が生じるため、追加床板１１４が双方の受梁１１０、１１２間に配設される。
【０００７】
しかしながら、上記対応策による場合、本来の受梁１１０とは別に上がり框１０８専用の追加受梁１１２を設置する必要があり、又これに伴って追加床板１１４を設置する必要も生じてくる。さらに、追加受梁１１２の両端部を構造躯体側に取り付けるための受梁取付金具やボルト・ナット等の締結具等も必要となる。このため、部品点数の増加及び組付工数の増加を招き、ひいてはプレハブ住宅等の生産性の低下に繋がるという難点がある。
【０００８】
図５には、第３の対応策が示されている。この階段構造による場合、Ｌ型階段１１６の上がり框１１８の配設位置を本来の配設位置（前述した図３、図４に示される位置）から受梁１２０の配設位置まで移動させることにより、上がり框１１８の配設位置を受梁１２０の配設位置に合致させている。換言すれば、本来の受梁１２０の配設位置を変更しない代わりに、上がり框１１８の配設位置を受梁１２０の配設位置までずらした構成といえる。
【０００９】
しかしながら、上記対応策による場合、上階床の受梁１２０から直ぐにＬ型階段１１６を降り始めることになるため、Ｌ型階段１１６の下方に設けられる階段下通路１２２の天井高さが低くなるという難点がある。
【００１０】
このように従来の対応策では、いずれも難点があったため、これらの難点が無い対応策の案出が望まれていた。
【００１１】
本発明は上記事実を考慮し、生産性を向上させることができ、しかも階段下通路の天井高さを充分に確保することができる階段構造を得ることが目的である。
【００１２】
【課題を解決するための手段】
請求項１記載の本発明は、構造躯体側の要素である上階床の受梁に対して階段の上がり框がずれて配置される場合に適用される階段構造であって、前記階段は、一般住宅等の建築物の屋内に設置される屋内階段であると共に、当該階段の下方には階段下通路が設けられており、当該階段の桁材の上り方向側の端部を上がり框の配設位置を越えて上階床の受梁の配設位置まで延長し、当該桁材の延長部にて、当該上がり框と当該受梁との間に配置されかつ前記上階床とは別体で構成された床板を支持した、ことを特徴としている。
【００１３】
請求項１記載の本発明に係る階段構造は、一般住宅等の建築物の屋内に設置され、かつ、構造躯体側の要素である上階床の受梁に対して階段の上がり框がずれて配置される場合に適用される。さらに、本発明に係る階段構造は、当該階段の下方に階段下通路が設けられる場合に適用される。
そして、上記前提に対し、階段の桁材の上り方向側の端部を上がり框の配設位置を越えて上階床の受梁の配設位置まで延長し、この桁材の延長部にて上がり框と受梁との間に配置されかつ上階床とは別体で構成された床板を支持する構成としたので、以下の作用が得られる。
【００１４】
まず、本発明では、本来の受梁がそのまま存置されそれを生かす構成であるため、換言すれば、従来の技術及び発明が解決しようとする課題の欄で説明した第１の対応策のように異形（鉤型）の受梁を使うことで本来の受梁の配設位置を変更する構成ではないため、構造躯体の共通化を阻害することもない。
【００１５】
また、本発明では、本来の受梁のみがそのまま存置されそれを生かす構成であるため、換言すれば、前述した第２の対応策のように上がり框専用の追加受梁を用いる構成ではないため、当該追加受梁やこれを構造躯体に固定するための受梁取付金具等が不要になる。このため、部品点数及び組付工数が特別増えることもない。
【００１６】
さらに、本発明によれば、上記構成を案出したことにより、上階から階下へ階段を使って降りる際には、桁材の延長部に支持された床板を通ってから階段を降り始めることになる。このことを別の視点から観ると、前述した第３の対応策では、上がり框の配設位置を上階床の受梁の配設位置まで移動したため、上階床の受梁から直ぐに階段を降り始めることになり、階段下通路の天井高さが低くなるが、本発明によれば、降り始めが遅れるため、階段下通路の天井高さは高くなる。
【００１７】
【発明の実施の形態】
以下、図１及び図２を用いて、本発明の一実施形態について説明する。
【００１８】
図２には、ユニット住宅に適用されるユニット階段の一種であるＬ型階段１０の概略平面構成図が示されている。この図に示されるように、Ｌ型階段１０は、一階床１２に繋がる下側直階段部分１４と、この下側直階段部分１４の上端部と接続されてコーナー部を形成する回り階段部分１６と、回り階段部分１６と「上階床」としての二階床１８とを繋げる上側直階段部分２０と、によって構成されている。
【００１９】
ここで、図１には本実施形態に係るＬ型階段１０における上側直階段部分２０の斜視図が示されており、以下に説明する如く、当該上側直階段部分２０の構造に本実施形態の特徴がある。
【００２０】
上側直階段部分２０は、互いに平行に配置された「桁材」としての一対のささら桁２２及びこれらのささら桁２２の各段毎に配置された踏み板２４を含んで構成されている。また、一対のささら桁２２の上端部２２Ａ間には、角材である上がり框２６が図示しない固定手段によって固定されている。なお、上がり框２６は、ささら桁２２の上端部２２Ａの端面よりも所定高さだけ突出した状態で固定されている。
【００２１】
この上がり框２６の配設位置は、前述した従来例の場合と同様に、二階床１８の受梁２８に対して略同一平面内でずれて（離れて）互いに平行に配置されている。そこで、本実施形態では、各々一対のささら桁２２の上端部２２Ａを上がり框２６の配設位置を越えて二階床１８の受梁２８の配設位置まで延長している。以下、この延長された部分を「ささら桁２２の延長部２２Ｂ」と称す。
【００２２】
このささら桁２２の延長部２２Ｂは溝型鋼である前述した二階床１８の受梁２８のウェブ２８Ａに当接され、一対のタッピングスクリュー３０〔広義には、（第１の）固定手段として把握される〕によって固定されている。これにより、受梁２８と上がり框２６との間にささら桁２２の延長部２２Ｂによる支えができたことになる。そして、このようにして形成された一対のささら桁２２の延長部２２Ｂ上に、二階床１８の受梁２８と上がり框２６の後端面との隙間を埋める矩形平板状の床板３２が載置され、一対のタッピングスクリュー３４〔広義には、（第２の）固定手段として把握される〕によって受梁２８に固定されている。なお、床板３２は一対の延長部２２Ｂにも図示しない固定手段によって固定されるようになっている。
【００２３】
なお、本実施形態では床板３２と上がり框２６との間に段差が生じているが、図示しない仕上げ材等を用いた仕上げ処理が後になされることにより、当該段差は解消される。
【００２４】
次に、本実施形態の作用並びに効果について説明する。
上述したように、本実施形態では、Ｌ型階段１０における上側直階段部分２０の上がり框２６の配設位置が構造躯体側の要素である二階床１８の受梁２８の配設位置から離れていることに鑑み、上側直階段部分２０の一対のささら桁２２に、上がり框２６の配設位置を越えて二階床１８の受梁２８の配設位置まで延長される延長部２２Ｂを設け、当該延長部２２Ｂにて床板３２を支持させる構成としたので、以下の作用並びに効果が得られる。
【００２５】
まず、本実施形態では、本来の受梁２８がそのまま存置されそれを生かす構成であるため、換言すれば、異形の受梁を使うことで本来の受梁の配設位置を変更する構成ではないため、構造躯体の共通化を阻害することもない。その結果、本実施形態によれば、ユニット住宅の生産性を向上させることができる。
【００２６】
また、本実施形態では、本来の受梁２８のみがそのまま存置されそれを生かす構成であるため、換言すれば、上がり框２６専用の追加受梁を用いる構成ではないため、当該追加受梁やこれを構造躯体に固定するための受梁取付金具等が不要になる。このため、部品点数及び組付工数が特別増えることもない。従って、この観点からも、ユニット住宅の生産性を向上させることができる。
【００２７】
さらに、本実施形態によれば、上記構成を案出したことにより、二階から一回へＬ型階段１０を使って降りる際には、ささら桁２２の延長部２２Ｂに支持された床板３２を通ってからＬ型階段１０を降り始めることになる。つまり、階段の降り始めが遅れることになる。このため、本実施形態によれば、階段下通路３６の天井高さを高くすることができる。
【００２８】
また、上記以外にも、前述した従来の対応策との対比で観ると、図３に示される第１の対応策の場合、異形の受梁１０４を使用しているため、構造躯体の平面視での吹き抜けサイズが専用サイズとなるが、本実施形態によれば、構造躯体の平面視での吹き抜けサイズは標準サイズとなる。従って、この意味からも、ユニット住宅の生産性を向上させることができる。
【００２９】
また、図４に示される第２の対応策の場合、追加受梁１１２及び追加床板１１４を使っていることから、吹き抜け１１５（同図参照）が小さくなるが、本実施形態によれば、通常通りの大きさの吹き抜け３８を設けることができる。
【００３０】
なお、本実施形態では、ささら桁構造のＬ型階段１０に対して本発明を適用したが、これに限らず、側桁構造のＬ型階段に対して本発明を適用してもよい。
【００３１】
また、本実施形態では、下側直階段部分１４、回り階段部分１６、及び上側直階段部分２０から成るＬ型階段１０に対して本発明を適用したが、これに限らず、所謂直階段に対して本発明を適用してもよい。
【００３２】
さらに、本実施形態では、Ｌ型階段１０をユニット住宅に適用したが、これに限らず、ユニット住宅以外のプレハブ建築物に本発明を適用してもよい。
【００３３】
また、本実施形態では、床板３２を二階床１８と別体で構成したが、これに限らず、二階床１８の一部として一体に床板３２に相当する部分を形成し、一対のささら桁２２の延長部２２Ｂに支持させる構成を採ってもよい。
【００３４】
【発明の効果】
以上説明したように、請求項１記載の本発明に係る階段構造は、一般住宅等の建築物の屋内に設置されると共に、階段の下方に階段下通路が設けられ、かつ、構造躯体側の要素である上階床の受梁に対して階段の上がり框がずれて配置される場合に適用され、階段の桁材の上り方向側の端部を上がり框の配設位置を越えて上階床の受梁の配設位置まで延長し、当該桁材の延長部にて、当該上がり框と当該受梁との間に配置されかつ上階床とは別体で構成された床板を支持したので、構造躯体の共通化が阻害されることもなければ、部品点数及び組付工数が特別増えることもなく、更に階段の降り始めを遅らせることができ、これらの結果、生産性を向上させることができ、しかも階段下通路の天井高さを充分に確保することができるという優れた効果を有する。
【図面の簡単な説明】
【図１】本実施形態に係るＬ型階段の要部である上側直階段部分を拡大して示した斜視図である。
【図２】図１に示される上側直階段部分を使って構成されたＬ型階段の概略平面構成図である。
【図３】従来の第１の対応策を示すＬ型階段の概略平面構成図である。
【図４】従来の第２の対応策を示すＬ型階段の概略平面構成図である。
【図５】従来の第３の対応策を示すＬ型階段の概略平面構成図である。
【符号の説明】
１０    Ｌ型階段
１８    二階床（上階床）
２２    ささら桁（桁材）
２２Ｂ  延長部
２６    上がり框
２８    受梁
３２    床板
【図１】
0003540145.tif 000002
【図２】
0003540145.tif 000003
【図３】
0003540145.tif 000004
【図４】
0003540145.tif 000005
【図５】
0003540145.tif 000006